(57)【特許請求の範囲】
【請求項１】
カード挿入口から挿入された磁気カードの磁気ストライプに対して、磁気ヘッドが磁気情報をリード・ライトする磁気カードリーダであって、
上記のカード挿入口に、挿入された磁気カードの磁気ストライプを検出する検知器を設け、挿入された磁気カードを搬送する搬送通路の両側には、左右一対の反転盤をモータによって９０度或いは１８０度回転するように取付けると共に、これ等左右の反転盤には、差込まれた磁気カードの左側に磁気ストライプが形成されている場合に用いる左側磁気ヘッドと、磁気カードの右側に磁気ストライプが形成されている場合に用いる右側磁気ヘッドとを、左右の反転盤に対してその中心から外側へ偏心した位置で、且つ、夫々の磁気ヘッドが互いに９０度異なる位相を持って取付けることにより、上記検知器によって検出された磁気ストライプの形成位置に従って、上記モータを制御して左右の反転盤を９０度或いは１８０度回転すると、いずれか一方の磁気ヘッドが搬送されて来る磁気カードの磁気ストライプに対応する位置にセットされ、他方の磁気ヘッドが磁気カードの搬送通路から外れた位置にセットされるように構成したことを特徴とする磁気ヘッド反転機能を備えた磁気カードリーダ。
【請求項２】
左側と右側の各磁気ヘッドの夫々に、少くとも磁気カードが挿通可能な間隔をあけてヘッドローラを取付けて、これ等各磁気ヘッドとヘッドローラの間に磁気カードを挿通させながら磁気情報のリード・ライトを行うように構成したことを特徴とする請求項１に記載の磁気ヘッド反転機能を備えた磁気カードリーダ。
【発明の詳細な説明】
【０００１】
【発明の属する技術分野】
本発明は、自動料金精算機や現金自動支払機等の機器類に用いて好適な磁気カードリーダに関するものであって、特に、磁気カードとして、カード面にコード番号や氏名、或は、社名等の文字や、各種の模様等を浮き彫り状態に形成した所謂エンボスカードを用いる各種機器類に用いて好適な磁気カードリーダに関するものである。
【０００２】
【従来の技術】
上述したような各種機器類に使用されている一般的な磁気カードは、差込方向に対して表面の右側に磁気ストライプが形成されていて、カード表面に印刷された矢印の指示に従って磁気カードをカードリーダの挿入口に差込むと、搬送装置がこの磁気カードをカード走行通路に沿って搬送し、この搬送中にカード走行通路の上面右側に設けた磁気ヘッドが上記の磁気ストライプに接触して、磁気情報をリード・ライトする様に構成されている。
【０００３】
しかし、暗くて磁気カードの向きを充分に確認できない場合とか、急いでいる様な時には、方向を間違えて差込む場合が多く、その度に磁気カードの向きを修正して差込むのでは非常に煩雑で時間が掛るから、磁気カードを前後及び表裏の区別無く如何なる方向、つまり４方向（横向きは挿入口の大きさで対処）から差込んでも、磁気情報のリード・ライトを正しく行う磁気カードリーダの開発が望まれていた。
【０００４】
そこで本出願人は、例えば特開平２−１６８４６４号公報や特開平４−３０２８５９号公報等に見られるように、カード挿入口の上面と下面の左右両側に、挿入された磁気カードの磁気ストライプを検出してカードの表裏を判定する計２個又は４個の検知器を取付け、また、挿入口に挿入された磁気カードを搬送するカード搬送通路の左右両側には、モータによって反転自在に構成された反転盤を取付けて、これ等各反転盤に取付けた磁気ヘッドの上下の向きと、挿入された磁気カードの表裏の向きが合致しない場合に、上記のモータが反転盤を反転して上記の磁気ストライプに対して磁気ヘッドによる磁気情報のリード・ライトを行うように構成することによって、４方向挿入可能な磁気カードリーダを開発した。
【０００５】
【発明が解決しようとする課題】
しかし、以上述べた従来の磁気カードリーダは、いずれも磁気ストライプのみを有する一般的な磁気カードを用いる場合は、別段差し障りなく使用することができるが、例えば銀行カード等のクレジットカードのようにカード面に磁気ストライプとエンボス部を備えた磁気カードの場合は、エンボスが形成された箇所が磁気ストライプを形成したカード面に比較して厚みがあり、而かも、このエンボスが磁気ストライプとは反対寄りのカード面に形成されている関係で、この磁気カードを上記複数の磁気ヘッドを備えた磁気リーダに挿入すると、エンボス部分が現在磁気ストライプに対応してリード・ライトしている磁気ヘッド以外の磁気ヘッド、つまり、現在ＯＮしていない状態にある反対側の磁気ヘッドに衝突してしまって、磁気カードが通過できなくなったり、磁気ヘッドを痛めてしまう問題が発生するため、エンボスが形成された磁気カードを使用する場合は、４方向挿入でのカード取り扱いができなかった。
【０００６】
従って本発明の技術的課題は、磁気カードとしてエンボスが形成されている磁気カードを使用する場合であっても、４方向挿入での磁気情報のリード・ライトをエンボス部を磁気ヘッドに衝突させることなく、支障無く行えるように工夫した磁気ヘッド反転機能を備えた磁気カードリーダを提供することである。
【０００７】
【課題を解決するための手段】
上記の技術的課題を解決するために本発明で講じた手段は以下の如くである。
【０００８】
カード挿入口から挿入された磁気カードの磁気ストライプに対して、磁気ヘッドが磁気情報をリード・ライトする磁気カードリーダであって、
【０００９】
（１）  上記のカード挿入口に、挿入された磁気カードの磁気ストライプを検出する検知器を設け、挿入された磁気カードを搬送する搬送通路の両側には、左右一対の反転盤をモータによって９０度或いは１８０度回転するように取付けると共に、これ等左右の反転盤には、差込まれた磁気カードの左側に磁気ストライプが形成されている場合に用いる左側磁気ヘッドと、磁気カードの右側に磁気ストライプが形成されている場合に用いる右側磁気ヘッドとを、左右の反転盤に対してその中心から外側へ偏心した位置で、且つ、夫々の磁気ヘッドが互いに９０度異なる位相を持って取付けることにより、上記検知器によって検出された磁気ストライプの形成位置に従って、上記モータを制御して左右の反転盤を９０度或いは１８０度回転すると、いずれか一方の磁気ヘッドが搬送されて来る磁気カードの磁気ストライプに対応する位置にセットされ、他方の磁気ヘッドが磁気カードの搬送通路から外れた位置にセットされるように構成すること。（請求項１）
【００１０】
（２）  左側と右側の各磁気ヘッドの夫々に、少くとも磁気カードが挿通可能な間隔をあけてヘッドローラを取付けて、これ等各磁気ヘッドとヘッドローラの間に磁気カードを挿通させながら磁気情報のリード・ライトを行うように構成すること。（請求項２）
【００１１】
上記（１）で述べた請求項１に係る手段によれば、磁気カードの差込み方向に関係なく、その差込み方向を検知して左右いずれかの磁気ヘッドを磁気ストライプの方向に反転するから、４方向の差込みにも２つの磁気ヘッドで磁気情報をリード・ライトすることができると共に、磁気カードがエンボスを備えたエンボス磁気カードであったとしても、磁気ストライプをリード・ライトする際に反対側のエンボス通過部分に磁気ヘッドが存在しないようにしたから、エンボスが磁気ヘッドに衝突してカード送りができなくなつたり、磁気ヘッドを痛めてしまうようなことがなく、磁気情報のリード・ライトを円滑に進めることを可能にする。
【００１２】
更に上記（１）で述べた請求項１に係る手段によれば、左側と右側の各磁気ヘッドを、夫々の磁気ヘッドが互いに９０度異なる位相を持って取付けられているため、一方の磁気ヘッドが磁気ストライプに対してリード・ライトしている時には、必ず他方の磁気ヘッドが９０度上方、又は、下方に待避している状態にあるから、磁気カードのエンボスがこの待避中の磁気ヘッドに衝突することがなく、カード送りを円滑に行うことを可能にする。
【００１３】
上記（２）で述べた請求項２に係る手段によれば、磁気カードを磁気ヘッドとヘッドローラの間に挿通させながら、磁気ヘッドによる磁気ストライプへのリード・ライトを行うため、磁気ストライプに対する磁気情報のリード・ライトを安定した状態で行うことを可能にする。
【００１４】
以上の如くであるから、上記（１）と（２）の手段によって上述した技術的課題を解決して、前記従来の技術の問題点を解消することができる。
【００１５】
【発明の実施の形態】
以下に、上述した本発明に係る磁気ヘッド反転機能を備えた磁気カードリーダの実施の形態を図面と共に説明すると、図１は本発明の全体を上面側から見た斜視図、図２はその構成図であって、図中、ＣＫはカード面に磁気情報をリード・ライトする磁気ストライプＳＴと、コード番号や氏名等を浮き彫り状態に形成したエンボス部ＥＢを設けた磁気カードで、１は磁気カードリーダの機体を示す。
【００１６】
１Ａ，１Ａは機体１を構成する左右の席板、１Ｔは磁気カードＣＫの挿入口、１Ｓは挿入口１Ｔに設けたカード検知センサー、３と４並びに３′と４′は、挿入口１Ｔの上下両側に設けた計４個の磁気ストライプＳＴ検出用の検知器で、これ等４個の検知器３，４と３′と４′は、挿入口１Ｔに挿入された磁気カードＣＫから磁気ストライプＳＴの位置を読取って、磁気カードＣＫがどのような姿勢で挿入されたのかを判断できる仕組に成っている。
【００１７】
即ち、挿入口１Ｔに向かって右上の検知器４が磁気ストライプＳＴを検出した場合は、磁気カードＣＫが磁気ストライプＳＴを右上にした図１に示した状態で挿入されたものと判断でき、また、左上の検知器３が磁気ストライプＳＴを検出した場合は、磁気カードＣＫが磁気ストライプＳＴを左上にした状態で挿入されたものと判断でき、更に、右下の検知器４′が磁気ストライプＳＴを検出した時は、磁気カードＣＫが磁気ストライプＳＴを右下にして挿入したものと判断でき、また、左下の検知器３′が磁気ストライプＳＴを検出した時は、磁気カードＣＫが磁気ストライプＳＴを左下にして挿入したものと判断できる仕組に成っている。
【００１８】
７Ｖは両側を駆動プーリ７Ｄと連動プーリ７Ｂの間に掛け渡したカード搬送用ベルト、７Ｃと７Ａは各プーリ７Ｄ，７Ｂの上面側に押接したテンションローラ、８はカード位置センサーで、駆動プーリ７Ｄがカード搬送モータ７Ｍによって駆動回転されると、カード搬送用ベルト７Ｖが作動して挿入口１Ｔに挿入した磁気カードＣＫを搬送できるように構成されている。
【００１９】
５Ｒと６Ｒは左右の席板１Ａ，１Ａの内側面に反転回動自在に取付けた左右の反転盤で、５Ａ，６Ａはその回転部、５Ｍ，６Ｍはこれ等左右の反転盤５Ｒ，６Ｒを同時に、又は、個別に反転回動する左右のヘッド反転モータで、各反転盤５Ｒ，６Ｒの内側面には、カード搬送用ベルト７Ｖによって搬送されて来る磁気カードＣＫの両側縁をガイドするガイド溝５Ｈと６Ｈが略十字状に凹設されている。
【００２０】
５と６は、上記左右の反転盤５Ｒ，６Ｒの内側面に互いに９０度異なる位相を持って取付けた左側磁気ヘッドと右側磁気ヘッド、５Ｓと６Ｓは各磁気ヘッド５，６に対して上記の磁気カードＣＫが挿通される間隔をあけて取付けたヘッドローラであって、磁気カードＣＫは搬送用ベルト７Ｖの移動に従ってその両側縁を左右の反転盤５Ｒ，６Ｒに凹設したガイド６Ｈ又は５Ｈにガイドされながら、磁気ストライプＳＴの部分をこれ等磁気ヘッド５又は６とヘッドローラ５Ｓ又は６Ｓの間に挿通させて、磁気ストライプＳＴに対する磁気情報をリード・ライトするように構成されている。
【００２１】
図２に示した状態は、磁気カードＣＫがその磁気ストライプＳＴを図１に示すように右上にして挿入したことを、右上の検知器４が検知した時の状態を示したものであって、右上の検知器４から検知信号が送られて来ると、左右の反転モータ５Ｍ，６Ｍが駆動して、左右の反転盤５Ｒ，６Ｒを２つの磁気ヘッド５，６が互いに９０度の位相角度を維持させた状態のまま回動し、各磁気ヘッド５，６を図示の状態、即ち、右側磁気ヘッド６を磁気カードＣＫの搬送ラインの直上に位置させて、送り込まれて来る磁気カードＣＫの磁気ストライプＳＴに磁気情報をリード・ライトする仕組に成っている。
【００２２】
尚、このリード・ライト時には、リード・ライトに関係のない左側の磁気ヘッド５は９０度上方に位置して、エンボス部ＥＢとの衝突を回避しているため、磁気カードＣＫの搬送が詰ったり、磁気ヘッド５が破損したりすることなく、磁気カードＣＫの搬送とリード・ライトを支障無く進めることができる。
【００２３】
また、磁気カードＣＫを、例えば磁気ストライプＳＴを左上にした状態（図１とは前後を逆にした状態）で挿入して、左上の検知器３が磁気ストライプＳＴを検知した場合は、左右の反転モータ５Ｍ，６Ｍが左右の反転盤５Ｒ，６Ｒを図２の状態から反時計回転方向に９０度回転して、左側磁気ヘッド５を磁気カードＣＫの搬送ラインの直上に位置させ、右側磁気ヘッド６を搬送ラインの下側９０度の位置に回避移動させて、磁気ストライプＳＴへの磁気情報のリード・ライトを可能にし、且つ、エンボス部ＥＢと右側磁気ヘッド６との衝突を回避することができる。
【００２４】
同様に、右下の検知器４′が磁気ストライプＳＴを検知した場合は、反転モータ５Ｍ，６Ｍが反転盤５Ｒ，６Ｒを図２の状態から反時計回転方向に１８０度回転して、右側磁気ヘッド６を磁気カードＣＫの搬送ラインの直下にリード・ライト可能な状態に位置させ、左側磁気ヘッド５を上記ラインの下側９０度の位置に回避回動することができ、また、左下の検知器３′が磁気ストライプＳＴを検知した場合には、反転モータ５Ｍ，６Ｍが反転盤５Ｒ，６Ｒを図２の状態から時計回転方向に９０度回転して、左側磁気ヘッド５を磁気カードＣＫの搬送ラインの直下にリード・ライト可能な状態に位置させ、右側磁気ヘッド６を上記ラインの上側９０度の位置に回避回動する仕組に成っている。
【００２５】
次に、上記の動作を図３に示したフローチャートに従って説明すると、始めのステップＳ１でカード検知センサー１Ｓが挿入口１Ｔに挿入された磁気カードＣＫを検出すると、次のステップＳ２に進んでカード搬送モータ７Ｍが回転されてカード搬送が開始され、次いで、次のステップＳ３に進んで右上の検知器４（プリヘッド）が磁気ストライプＳＴを検知したか否かが判定され、ＹＥＳの場合は次のステップＳ４に進んで右側磁気ヘッド６による磁気情報のリード・ライトが成されるが、ＮＯの場合はステップＳ５に進む。
【００２６】
ステップＳ５では、右下の検知器４′が磁気ストライプＳＴを検知したか否かが判定され、ＹＥＳの場合はステップＳ６に進んで反転モータ５Ｍ，６Ｍが反転盤５Ｒ，６Ｒを図２に於いて反時計回転方向に１８０度回転した後、上記のステップＳ４に進んで右側磁気ヘッド６による磁気情報のリード・ライトが成されるが、ＮＯの場合はステップＳ７に進む。
【００２７】
ステップＳ７では、左上の検知器３が磁気ストライプＳＴを検知したか否かが判定され、ＹＥＳの場合はステップＳ８に進んで反転モータ５Ｍ，６Ｍが反転盤５Ｒ，６Ｒを図２に於いて反時計回転方向に９０度回転した後、上記のステップＳ４に進んで左側磁気ヘッド５による磁気情報のリード・ライトが成されるが、ＮＯの場合はステップＳ９に進む。
【００２８】
ステップＳ９では、左下の検知器３′が磁気ストライプＳＴを検知したか否かが判定され、ＹＥＳの場合はステップＳ１０に進んで反転モータ５Ｍ，６Ｍが反転盤５Ｒ，６Ｒを図２に於いて時計回転方向に９０度回転した後、上記のステップＳ４に進んで左側磁気ヘッド５による磁気情報のリード・ライトが成されるが、ＮＯの場合は上述したステップＳ３に戻って処理を繰返す仕組に成っている。
【００２９】
従って本発明に係る磁気ヘッド反転機能を備えた磁気カードリーダによれば、磁気カードＣＫの４方向の挿入に対し、磁気ヘッド５，６を反転回動して対応でき、而かも、磁気ヘッド５又は６による磁気情報のリード・ライト時には、リード・ライトに用いていない他方の磁気ヘッド５又は６を磁気カードＣＫの搬送ラインの外に回避回動しているため、使用する磁気カードＣＫにエンボス部ＥＢが形成されていても、このエンボス部ＥＢに上記他方の磁気ヘッド５又は６を衝突させることなく、カード搬送を支障無く行うことができる。
【００３０】
尚、上記図示した実施例では左右の反転盤５Ｒ，６Ｒを夫々異なる反転モータ５Ｍ，６Ｍで反転するように構成されているが、左右２つの磁気ヘッド５，６の位相を図示したように９０度ずらしてお互いを連結した場合には、１台の反転モータによって各磁気ヘッド５，６を９０度、１８０度、−９０度と回転させることが可能となる。
【００３１】
また、図示したように左右の反転盤５Ｒ，６Ｒを異なる反転モータ５Ｍ，６Ｍによって夫々任意の方向に制御回転することにより、必要とする一方の磁気ヘッド５又は６をリード・ライト可能な位置にセットし、必要のない他方の磁気ヘッド５又は６をその上側又は下側の任意の角度位置に回避回動させるようにしたもよく、その選択は任意である。
【００３２】
更に、上述した実施の形態では、４方向挿入に対する各磁気ヘッド５，６の反転回動の状況を、図１と図２に示した状態、即ち、右上にある磁気ストライプＳＴを右側磁気ヘッド６がリード・ライトしている状態を基準にして説明しているが、これはあくまでも便宜上のものであって、必ずしも両磁気ヘッド５，６が図２に示した角度位置に停止しているとは限らないから、その都度磁気カードＣＫの差込みの姿勢に対応して、反転モータ５Ｍ，６Ｍが最適な方向と角度に制御回転されて、各磁気ヘッド５，６を、磁気情報をリード・ライトする位置と回避位置の夫々に反転してセットすることは勿論である。
【００３３】
【発明の効果】
以上述べた次第で、本発明に係る磁気ヘッド反転機能を備えた磁気カードリーダによれば、２つの磁気ヘッドによって４方向のカード挿入に対応して、磁気情報を磁気ストライプに対して安定した状態でリード・ライトすることができるのであるが、本発明では特に、２つの磁気ヘッドのうち、リード・ライトに使用しない他方の磁気ヘッドをカード搬送ラインの外方に回避回動するため、カード面にエンボスが形成されている磁気カードであっても、このエンボスを他方の磁気ヘッドに衝突させることがないから、カード送りと磁気情報のリード・ライトを支障無く行うことができるものであって、エンボスを有する磁気カードであっても４方向のカード挿入に対応できる磁気カードリーダを提供することができる。
【図面の簡単な説明】
【図１】  本発明に係る磁気ヘッド反転機能を備えた磁気カードリーダを上面側から見た斜視図である。
【図２】  本発明の内部を説明した構成図である。
【図３】  本発明による磁気ヘッド反転の処理手順を説明したフローチャートである。
【符号の説明】
１                            磁気カードリーダの本体
１Ｔ                          挿入口
３，３′、４，４′            磁気ストライプ用検知器
５，６                        磁気ヘッド
５Ｒ，６Ｒ                    反転盤
５Ｓ，６Ｓ                    ヘッドローラ
５Ｍ，６Ｍ                    ヘッド反転モータ
７Ｖ                          カード搬送用ベルト
７Ｍ                          カード搬送モータ
ＣＫ                          磁気カード
ＳＴ                          磁気ストライプ
ＥＢ                          エンボス部
【図１】
0003652541.tif 000002
【図２】
0003652541.tif 000003
【図３】
0003652541.tif 000004